(57)【要約】      （修正有）【課題】臥位姿勢で使用される枕や首枕、及び着座姿勢で使用される首枕、腰当て等とすることができ、多目的機能を兼ね備えるスポンジ製品を提供する。【解決手段】変形可能なスポンジ製品１０であって、同スポンジ製品は、スポンジからなる長尺状の本体１と、同本体１内に収容され、且つ同本体１に密着して包まれ、湾曲自在で湾曲後の形状に保持される芯柱２とを備える。【選択図】図２
0003223798.tif 000002
【実用新案登録請求の範囲】
【請求項１】
スポンジからなる長尺状の本体(１)と、
前記本体(１)内に収容され、前記本体(１)に密着して包まれ、湾曲自在で湾曲後の形状に保持される芯柱(２)と、
を備えることを特徴とする、変形可能なスポンジ製品。
【請求項２】
前記芯柱(２)はいくつかの短柱(２１)を接続してなり、
前記短柱(２１)は、一端が接続ボール(２１１)を有し、他端が前記接続ボール(２１１)にマッチングする接続凹部(２１２)を有し、
いくつかの前記短柱(２１)が前記接続ボール(２１１)と前記接続凹部(２１２)との嵌合によって一体的に接続され、
前記接続凹部(２１２)の側壁に複数のスリット(２１３)を有し、複数の前記スリット(２１３)によって前記接続凹部(２１２)の側壁が複数の部分に分けられ、
前記接続ボール(２１１)が前記接続凹部(２１２)に嵌合する時、前記スリット(２１３)が大きくなり、前記接続ボール(２１１)が前記接続凹部(２１２)によって締め付け用の弾力を付与されることを特徴とする、
請求項１に記載の変形可能なスポンジ製品。
【請求項３】
前記本体(１)の外側に保護スリーブが設置されることを特徴とする、
請求項１又は２に記載の変形可能なスポンジ製品。
【請求項４】
前記スポンジがメモリーフォームであることを特徴とする、
請求項１又は２に記載の変形可能なスポンジ製品。
【考案の詳細な説明】
【技術分野】
【０００１】
本考案はスポンジ製品に関し、特に長尺状構造の変形可能なスポンジ製品に関する。
【背景技術】
【０００２】
人々は生活の中で様々なスポンジ製品を使用することが多く、例えば、臥位姿勢で使用される枕、首枕、着座姿勢で使用される首枕、着座姿勢で使用される腰部を支える腰当て等が挙げられる。これらのスポンジ製品の各々は１種の機能しか備えないため、単一機能の欠陥がある。
【考案の概要】
【考案が解決しようとする課題】
【０００３】
本考案は、従来技術の上記欠陥を解決するために、変形可能なスポンジ製品を提供することを目的とする。
【課題を解決するための手段】
【０００４】
上記目的を達成するために、本考案の技術案は以下通りである。
【０００５】
変形可能なスポンジ製品であって、スポンジからなる長尺状の本体と、前記本体内に収容され、且つ前記本体に密着して包まれ、湾曲自在で湾曲後の形状に保持される芯柱と、を備える。
【０００６】
好ましくは、前記芯柱はいくつかの短柱を接続してなり、前記短柱は一端が接続ボールを有し、他端が前記接続ボールにマッチングする接続凹部を有し、いくつかの前記短柱が前記接続ボールと前記接続凹部との嵌合によって一体的に接続され、前記接続凹部の側壁に複数のスリットを有し、複数の前記スリットによって前記接続凹部の側壁が複数の部分に分けられ、前記接続ボールが前記接続凹部に嵌合する時、前記スリットが大きくなり、前記接続ボールが前記接続凹部によって締め付け用の弾力を付与される。
【０００７】
好ましくは、前記本体の外側に保護スリーブが設置される。
【０００８】
好ましくは、前記スポンジはメモリーフォームである。
【０００９】
従来技術に比べて、本考案は少なくとも以下の有益な効果を有する。
【考案の効果】
【００１０】
本スポンジ製品は、変形によって臥位姿勢で使用される枕や首枕、及び着座姿勢で使用される首枕、腰当て等とすることができ、多目的機能を兼ね備える特徴を有する。
【図面の簡単な説明】
【００１１】
【図１】図１はスポンジ製品の一実施例の外部形状及び構造の模式図である。
【図２】図２はその内部構造の模式図である。
【図３】図３は芯柱の一実施例の構造模式図である。
【図４】図４は芯柱を構成する短柱の構造模式図である。
【図５】図５はスポンジ製品の第１変形状態図である。
【図６】図６はスポンジ製品の第２変形状態図である。
【図７】図７はスポンジ製品の第３変形状態図である。
【考案を実施するための形態】
【００１２】
以下、図面及び実施例を参照して本考案をさらに説明する。
【００１３】
図１、図２に示すように、本変形可能なスポンジ製品１０は本体１及び芯柱２を備える。本体１は長尺状であり、スポンジからなり、スポンジはメモリーフォームが好ましい。芯柱２は、前記本体１内に収容され、前記本体１に密着して包まれ、湾曲自在で湾曲後の形状に保持される。
【００１４】
図３、図４に示すように、芯柱２の一実施例では、芯柱２はいくつかの短柱２１を接続してなり、前記短柱２１は一端が接続ボール２１１を有し、他端が前記接続ボール２１１にマッチングする接続凹部２１２を有し、いくつかの前記短柱２１が前記接続ボール２１１と前記接続凹部２１２との嵌合によって一体的に接続され、前記接続凹部２１２の側壁に複数のスリット２１３を有し、複数の前記スリット２１３によって前記接続凹部２１２の側壁が複数の部分に分けられ、前記接続ボール２１１が前記接続凹部２１２に嵌合する時、前記スリット２１３が大きくなり、前記接続ボール２１１が前記接続凹部２１２によって締め付け用の弾力を付与される。前記短柱２１は金属又はプラスチック材料からなってもよい。
【００１５】
芯柱２は中空構造の金属棒又はプラスチック棒としてもよいし、芯柱２は中実構造の金属棒又はプラスチック棒としてもよい。
【００１６】
本スポンジ製品１０の製造方法について、スポンジを切断し、切断したスポンジを芯柱２外に巻き付け、その後、接着剤でスポンジの端部同士を接着して芯柱外２に固定すればよい。
【００１７】
さらに、スポンジを汚れから保護するように、前記本体１の外側に保護スリーブが設置されてもよい。
【００１８】
図５に示すように、本スポンジ製品１０を環状に湾曲させると、着座姿勢で使用される首枕２０となる。
【００１９】
図６に示すように、本スポンジ製品１０を中点に沿って１８０度湾曲させると、臥位姿勢で使用される枕３０となり、該枕３０は腰当てとしても使用できる。
【００２０】
図７に示すように、本スポンジ製品１０は、未湾曲状態では、臥位姿勢で使用される首枕４０となる。
【００２１】
上記実施例では、スポンジ製品１０の本体１の断面が円形であった。しかし、本願はそれに限定されず、本願のスポンジ製品の本体は断面が楕円形、又は長円形等となるように設計されてもよい。
【００２２】
以上、具体的な実施例を参照して本考案を詳細に説明したが、これら詳細な説明は当業者が本考案の内容を理解するためのものに過ぎず、本考案の保護範囲を限定するものではない。当業者が本考案の思想に基づき上記技術案に対して行った種々の修飾、同等置換等はすべて本考案の保護範囲に属する。
【符号の説明】
【００２３】
１：本体、２：芯柱、２１：短柱、２１１：接続ボール、２１２：接続凹部、２１３：スリット、１０：スポンジ製品、２０：着座姿勢で使用される首枕、３０：臥位姿勢で使用される枕、４０：臥位姿勢で使用される首枕
【図１】
0003223798.tif 000003
【図２】
0003223798.tif 000004
【図３】
0003223798.tif 000005
【図４】
0003223798.tif 000006
【図５】
0003223798.tif 000007
【図６】
0003223798.tif 000008
【図７】
0003223798.tif 000009